(57)【特許請求の範囲】
【請求項１】
本体部に撮像装置を内蔵し、写真フイルムに撮影された画像又はプリント写真に記録された画像等を撮像してビデオ信号を出力する画像入力装置であって、前記本体部の両側面にはそれぞれ起伏操作自在な一対のアームスタンドが設けられ、この一対のアームスタンドは各々が本体部に沿って倒伏した不使用位置と、各々が本体部から小さく開かれ、各々の先端部によって撮像装置が上向きになるように本体部を正立状態に支持する正立支持位置と、各々が本体部から大きく開かれ、各々の先端部によって撮像装置が下向きになるように本体部を倒立状態に支持する倒立支持位置とをとるように構成された画像入力装置において、
前記一対のアームスタンドがいずれも倒立支持位置に開かれたときにのみ作動して、これらをその位置にロックするロック機構を設け、このロック機構の作動を解除しない限り、アームスタンドの起伏操作を禁止するようにしたことを特徴とする画像入力装置。
【請求項２】
前記一対のアームスタンドを、不使用位置と正立支持位置とで起伏操作を阻害しない程度にクリック止めするクリック機構を設けたことを特徴とする請求項１記載の画像入力装置。
【請求項３】
前記ロック機構は、一対のアームスタンドの間に配置され、一端が回動自在に軸着され他端がバネによって開き方向に付勢された一対の保持レバーと、該アームスタンドの軸着部の外周に形成され、アームスタンドが倒立支持位置に移動されたときに保持レバーがバネ付勢によって開き方向に回動して当接する当接面が形成されたカムと、一対の保持レバーが両方とも開き方向に回動したときにその間に入り込み、閉じ方向に回動するのを阻止するロックプレートとからなることを特徴とする請求項１及び２記載の画像入力装置。
【請求項４】
前記カムの外周には、アームスタンドが不使用位置と正立支持位置とにあるときに、保持レバーが開ききらずに入り込む切欠が設けられていることを特徴とする請求項１ないし３いずれか記載の画像入力装置。
【発明の詳細な説明】
【０００１】
【産業上の利用分野】
本発明は画像入力装置に関し、更に詳しくは、アームスタンドのロック機構に関するものである。
【０００２】
【従来の技術】
写真フイルムに撮影された画像やプリント写真に記録された画像等を撮像してビデオ信号をビデオやテレビ等に入力する画像入力装置が各種提供されている。このような画像入力装置のなかには、光学系やＣＣＤ等からなる撮像装置が内蔵される本体部の両側面に、起伏操作自在な一対のアームスタンドを設けたものがある。この一対のアームスタンドは、不使用時には本体部に倒伏されている。また、ネガやポジ等の写真フイルムの画像を撮像する際には、一対のアームスタンドを本体部から小さく開き、撮像装置が上向きになるように各々のアームスタンドの先端部で本体部を正立状態に支持する。更に、プリント写真や小型の立体物等を撮像する際には、一対のアームスタンドを本体部から大きく開き、撮像装置が下向きになるように各々のアームスタンドの先端部で本体部を倒立状態に支持している。
【０００３】
上記一対のアームスタンドは、本体部に対して自由に起伏すると使い勝手も悪く破損の原因ともなる。また、倒立支持位置では、アームスタンドの開き加減が画像のピントにも係わってくるため、不使用位置，正立支持位置，倒立支持位置のそれぞれで固定されるようにロック機構が設けられている。そして一対のアームスタンドを起伏させる際には、ロック解除ボタンを操作しながらアームスタンドを回動させる。
【０００４】
【発明が解決しようとする課題】
しかしながら、操作を誤ってロック解除ボタンを操作せずにアームスタンドを起伏させてしまうユーザーもおり、ひどい場合にはロック機構が破損してしまうことがある。そして、ロック機構が破損すると、一対のアームスタンドは最も負荷のかかる倒立支持位置で本体部を支えることができなくなり、画像のピントも合わなくなるという問題がある。
【０００５】
本発明は、上記問題点に鑑みてなされたもので、ロック機構の破損を防ぐとともに、倒立支持位置では確実にアームスタンドをロックするようにした画像入力装置を提供することを目的とする。
【０００６】
【課題を解決するための手段】
上記問題点を解決するために、請求項１記載の画像入力装置は、一対のアームスタンドがいずれも倒立支持位置にあるときにのみ作動して、これらをその位置にロックするロック機構を設け、このロック機構の作動を解除しない限り、アームスタンドの起伏操作を禁止するようにしたものである。また、請求項２記載の画像入力装置は、一対のアームスタンドを、不使用位置と正立支持位置とで起伏操作を阻害しない程度にクリック止めするクリック機構を設けたものである。
【０００７】
また、請求項３記載の画像入力装置は、ロック機構を、一対のアームスタンドの間に配置され、一端が回動自在に軸着され他端がバネによって開き方向に付勢された一対の保持レバーと、該アームスタンドの軸着部の外周に形成され、アームスタンドが倒立支持位置に移動されたときに保持レバーがバネ付勢によって開き方向に回動して当接する当接面が形成されたカムと、一対の保持レバーが両方とも開き方向に回動したときにその間に入り込み、閉じ方向に回動するのを阻止するロックプレートとから構成したものである。
【０００８】
更に、請求項４記載の画像入力装置は、カムの外周に、アームスタンドが不使用位置と正立支持位置とにあるときに、保持レバーが開ききらずに入り込む切欠を設けたものである。
【０００９】
アームスタンドは、不使用位置あるいは正立支持位置に移動されると、軸着部の外周に形成されたカムの切欠に保持レバーが開ききらずに入り込んでクリック止めされる。これにより、アームスタンドは不使用位置と正立支持位置とで確実に位置決めされるが、一対の保持レバーの間にロックプレートが入り込まないのでロックされることはない。片方のアームスタンドのみを倒立支持位置に起伏させても、ロックプレートは一対の保持レバーの間に入り込めないのでロックはされない。一対のアームスタンドを両方とも倒立支持位置に移動すると、一対の保持レバーはバネの付勢によって開き方向に回動されてカムの当接面に当接する。そして、この一対の保持レバーの間にはロックプレートが入り込み、閉じ方向に回動するのを阻止するので一対のアームスタンドはロックされる。
【００１０】
【実施例】
図２は、本発明の画像入力装置の不使用状態を示す外観図である。画像入力装置２は、縦型に形成された本体部３と、この本体部３の両側面に軸着され、本体部３に対して起伏自在とされた一対のアームスタンド４，５と、本体部３の上部に回動自在に組み付けられたヘッド部６とから構成されている。
【００１１】
本体部３には、レンズ等の光学系とＣＣＤ等や各種電気回路等からなる撮像装置が組み込まれており、側面には各種操作スイッチや画像出力用の端子８等が露呈されている。また、本体部３の側面に形成された開口９からは、アームスタンド４，５のロック解除の操作を行うロック解除ボタン１０が露出されている。
【００１２】
撮像装置は、上方のヘッド部６に向けて配置されており、ヘッド部６の上部には図示しないが撮像用の開口が設けられている。そして、図３に示すように、ヘッド部６のスロット１２にフイルムキャリア１３が差し込まれ、このフイルムキャリア１３に挟み込まれた写真フイルム１３ａの画像を撮像して、そのビデオ信号をビデオやテレビ等に出力する。フイルムキャリア１３の上面には、写真フイルム１３ａを照明する照明光を均一にするための拡散板１３ｂが組み付けられている。また、プリント写真や小型の立体物等を撮像する際には、図４に示すように、本体部３を倒立させてヘッド部６の撮像用の開口を下方に向け、ヘッド部６の下方に例えばプリント写真１５を置いて撮像する。
【００１３】
ヘッド部６の上部には一対のランプハウス１７，１８が開閉自在に取り付けられており、このランプハウス１７，１８の内部には光源となるランプが組み付けられている。そして、フイルム１３を撮像する際には、図３に示すようにランプハウス１７，１８を閉じることによりフイルム１３を背面側から照明する。また、プリント写真や立体物を撮像する際には、図４に示すように、ランプハウス１７，１８は開かれた状態でプリント写真１５を照明する。ヘッド部６は、画像の向きを容易に切り換えられるようにするために回動自在となっている。
【００１４】
アームスタンド４，５は板状となっており、それぞれが２個の軸着部４ａ，４ｂ（図９参照）と５ａ，５ｂとで本体部３を挟み込むようにして回動自在に取り付けられている。アームスタンド４，５の先端は、不使用時に本体部３の下面３ａよりも下方に位置するように長くされており、滑り止め用のゴム２０，２１が取り付けられている。
【００１５】
前記アームスタンド４，５は、画像入力装置２の不使用時には、図２に示すように、本体部３に対して倒伏された状態となり、画像入力装置２を小型にしている。また、ネガやポジ等のフイルムを撮像する際には、図３に示すように、本体部３から小さく開かれ、両アームスタンド４，５の先端に取り付けられたゴム２０，２１と、本体部３の下面３ａとで接地されて画像入力装置２を正立状態に支持する。更に、プリント写真や小型の立体物等を撮像する際には、図４に示すように、両アームスタンド４，５は本体部３から大きく開かれて、その先端のゴム２０，２１で本体部３を倒立状態に支持する。この倒立支持位置では、アームスタンド４，５はロック機構によりロックされる。
【００１６】
図５は、アームスタンドのロック機構の概略を示すものである。ロック機構は、アームスタンド４，５の軸着部４ａ，５ａの外周に形成されたカム２３，２４と、アームスタンド４，５の間で同軸２５に軸着されて回動自在とされた一対の保持レバー２６，２７と、この一対の保持レバー２６，２７の間に組み付けられて、保持レバー２６を時計方向に、保持レバー２７を反時計方向に、すなわち両保持レバー２６，２７を開く方向へ付勢する圧縮バネ２８と、バネ２９によって上方に向かって付勢されたロックプレート３０とから構成されている。
【００１７】
保持レバー２６，２７には、圧縮バネ２８の付勢によって常時カム２３，２４に当接する突起片２６ａ，２７ａが設けられている。また、各保持レバー２６，２７には内側に向かって突出された規制片２６ｂ，２７ｂが形成されている。この規制片２６ｂ，２７ｂには、ロックプレート３０の裏面側に形成されたロック片３０ａがバネ２９の付勢によって常に当接されている。ロックプレート３０には、前面側に前述の本体部３の開口９から外部に露出されるロック解除ボタン１０が一体に形成されている。このロック解除ボタン１０の表面には滑り止めが設けられていて上下方向にスライド操作される。
【００１８】
カム２３，２４の外周には、アームスタンド４，５が不使用位置にあるときに保持レバー２６，２７の突起片２６ａ，２７ａが入り込む切欠２３ａ，２４ａと、図６に示すように、アームスタンド４，５が正立支持位置にあるときに突起片２６ａ，２７ａが入り込む切欠２３ｂ，２４ｂとが設けられている。また、カム２３，２４には、図１に示すように、アームスタンド４，５が倒立支持位置に回動されたときに保持レバー２６，２７の突起片２６ａ，２７ａが当接する当接面２３ｃ，２４ｃが形成されている。
【００１９】
アームスタンド４，５を不使用位置から開き方向に向けて回動させると、カム２３，２４が保持レバー２６，２７の突起片２６ａ，２７ａを押圧して、圧縮バネ２８の付勢に抗して保持レバー２６を反時計方向に、保持レバー２７を時計方向に、すなわち一対の保持レバー２６，２７を閉じ方向に向けて僅かに回動させる。そしてアームスタンド４，５の開き角度が正立支持位置に到達すると、圧縮バネ２８に付勢された両保持レバー２６，２７が開き方向に回動して切欠２３ｂ，２４ｂ内に入り込み、アームスタンド４，５を正立支持位置に保持する。
【００２０】
また、正立支持位置から不使用位置へ向かってアームスタンド４，５を回動させた場合にも、保持レバー２６，２７は圧縮バネ２８の付勢によって同様に作用し、突起片２６ａ，２７ａが切欠２３ａ，２４ａに入り込む。これにより、不使用位置と正立支持位置との間では、アームスタンド４，５の回動にクリック感が伴うものとなる。また、アームスタンド４，５の何れか一方のみを不使用位置と正立支持位置との間で回動させてもクリック感が得られる。
【００２１】
また、アームスタンド４，５を倒立支持位置に回動させると、保持レバー２６，２７は、カム２３，２４の当接面２３ｃ，２４ｃに突起片２６ａ，２７ａを当接させる。なお、このときには、保持レバー２６，２７は圧縮バネ２８の付勢によって、それぞれ時計方向と反時計方向とに僅かに回動する。これにより、保持レバー２６，２７の間が開くことになり、規制片２６ｂ，２７ｂの間も広がるので、規制片２６ｂ，２７ｂによるロック片３０ａへの当接が解除される。そして、ロックプレート３０はバネ２９の付勢により上方に向かってスライド移動され、規制片２６ｂ，２７ｂの間にロック片３０ａが入り込むことになる。
【００２２】
上記の状態でアームスタンド４，５を不使用位置に向けて回動させようとすると、カム２３，２４によって保持レバー２６，２７の突起片２６ａ，２７ａが押圧される。しかしながら、保持レバー２６，２７は規制片２６ｂ，２７ｂの間に入り込んだロック片３０ａに当接して閉じ方向への回動が阻止されているので、結果としてアームスタンド４，５を回動させることはできず、ロックされた状態となる。このアームスタンド４，５のロックを解除するには、ロックプレート３０のロック解除ボタン１０をバネ２９の付勢に抗して本体部３の下方側に向けてスライドさせながら、アームスタンド４，５のどちらか一方を不使用位置に向けて回動させる。
【００２３】
なお、このアームスタンド４，５の倒立支持位置でのロックは、両方のアームスタンド４，５が倒立支持位置に回動されたときでなければ行われない。例えば、図７に示すように、アームスタンド４のみを倒立支持位置に回動させて保持レバー２６が開き方向に回動しても、他方の保持レバー２７の規制片２７ｂがロックプレート３０のロック片３０ａに当接したままの状態となる。また、図８に示すように、アームスタンド５のみが倒立支持位置に回動されても同様となる。
【００２４】
次に上記実施例の作用について説明する。不使用時の画像入力装置２は、図２に示すように、アームスタンド４，５が本体部３に対して倒伏されて小型になっている。この不使用時でのアームスタンド４，５のロック機構は、図５に示すように、軸着部４ａ，５ａの外周に形成されたカム２３，２４の切欠２３ａ，２４ａに、保持レバー２６，２７の突起片２６ａ，２７ａが圧縮バネ２８の付勢により入り込んでいる。これによりアームスタンド４，５は、不使用位置に保持されている。そして、ロックプレート３０に一体に形成されたロック解除ボタン１０は、ロック片３０ａがバネ２９の付勢により規制片２６ｂ，２７ｂに当接した状態となっているので、開口９内で本体部３の下方側に位置している。
【００２５】
画像入力装置２でネガやポジ等のフイルムの画像を撮像する場合には、図３に示すように、アームスタンド４，５を本体部３に対して小さく開き、本体部３の下面３ａとアームスタンド４，５の先端に取り付けられた滑り止めのゴム２０，２１とを接地させて本体部３を正立させる。アームスタンド４，５を開き方向に回動すると、図６に示すように、カム２３，２４が圧縮バネ２８の付勢に抗して保持レバー２６を反時計方向に、保持レバー２７を時計方向に僅かに回動させる。そして、アームスタンド４，５が正立支持位置に到達すると、保持レバー２６，２７は圧縮バネ２８の付勢により開き方向に回動するので、突起片２６ａ，２７ａは切欠２３ｂ，２４ｂ内に入り込んでアームスタンド４，５を正立支持位置に保持する。
【００２６】
正立支持位置にセットされた画像入力装置２には、ヘッド部６のスロット１２にフイルムキャリア１３が挿入される。そしてランプハウス１７，１８を閉じた状態でランプハウス１７，１８のランプを点灯すると、フイルムキャリア１３の拡散板１３ｂを介して写真フイルム１３ａの背面側が照明され、本体部３内の撮像装置が写真フイルム１３ａの画像を撮像してそのビデオ信号をビデオやテレビ等に出力する。
【００２７】
画像入力装置２でプリント写真や小型の立体物を撮像する場合には、図４に示すように、アームスタンド４，５を本体部３に対して大きく開き、アームスタンド４，５の先端に取り付けられた滑り止めのゴム２０，２１を接地させて本体部３を倒立させる。
【００２８】
アームスタンド４，５を倒立支持位置に回動する際には、画像入力装置２を取り落としたりしないように、またアームスタンド４，５に余計な負荷がかからないように片側ずつ行うのがよい。まず、図７に示すように、アームスタンド４のみを倒立支持位置まで回動させる。これにより、保持レバー２６が圧縮バネ２８の付勢によって時計方向に回動して、カム２３の当接面２３ｃに突起片２６ａを当接させてアームスタンド４を倒立支持位置に保持する。また、このときには、保持レバー２７の規制片２７ｂがロックプレート３０のロック片３０ａに当接しているので、アームスタンド４は倒立支持位置にはロックされない。
【００２９】
次に、図８に示すように、アームスタンド５を倒立支持位置に向けて回動させる。すると、図１に示すように、保持レバー２７は圧縮バネ２８の付勢によって反時計方向に回動して、カム２４の当接面２４ｃに突起片２７ａを当接させる。保持レバー２６，２７の間が開くと、規制片２６ｂ，２７ｂの間にバネ２９によって上方に付勢されたロックプレート３０のロック片３０ａが入り込む。これにより、保持レバー２６，２７の閉じ方向への回動が阻止されるので、アームスタンド４，５は倒立支持位置にロックされた状態となる。また、ロック解除ボタン１０は、開口９内で本体部３の上方側に移動する。
【００３０】
倒立支持位置にセットされた画像入力装置２は、ランプハウス１７，１８を開いた状態でヘッド部６の下方にプリント写真１５等が置かれることにより、ランプハウス１７，１８からの照明により本体部３内の撮像装置がプリント写真１５の画像を撮像し、そのビデオ信号をビデオやテレビ等に出力する。アームスタンド４，５は確実にロックされているので、本体部３の全重量を支えても間が広がったり撓んだりすることはなく、ピント合わせも正確となる。
【００３１】
アームスタンド４，５のロック解除を行うには、ロック解除ボタン１０をバネ２９の付勢に抗して開口９内で本体部３の下方側に向かってスライドさせる。そして、ロック解除ボタン１０を下方にスライドさせたまま、アームスタンド４あるいはアームスタンド５の何れか一方を閉じ方向に回動させる。アームスタンド４，５の何れかが閉じ方向に回動されると、保持レバー２６，２７の何れかの規制片２６ｂ，２７ｂがロックプレート３０のロック片３０ａの上方に入り込むので、ロック解除ボタン１０のスライド操作を解除してもアームスタンド４，５が再度ロックされることはない。
【００３２】
なお、上記実施例では、アームスタンド４，５の軸着部４ａ，５ａ側にのみロック機構を設けたが、図９に示すように、アームスタンド４，５の軸着部４ｂ，５ｂ側にも設けてもよい。この場合には、軸着部４ｂ，５ｂの外周にカム２３，２４と同様のカム３４，３５を設け、これらの間に一対の保持レバー３６，３７を軸３８で回動自在に軸着し、圧縮バネ３９により開き方向に付勢する。これにより、軸着部４ｂ，５ｂ側ではアームスタンド４，５が不使用位置，正立支持位置，倒立支持位置に回動されたときに、それぞれの位置でカム３４，３５と保持レバー３６，３７とが係合して位置決めを行う。
【００３３】
また、軸着部４ｂ，５ｂ側にもロック機構を設けてもよい。この場合には、両側のロックプレートを本体部を貫通するように連結させると、片側のロックプレートの操作のみで両側のロック解除が行える。また、保持レバーとロックプレートとの付勢は、１個のバネで行ってもよい。
【００３４】
更に、アームスタンドの回転力を軸着部の外周に形成したカムで直接保持レバーに作用させていたが、例えば一対のアームスタンドの間に何らかの部品を配置する必要がある場合には、アームスタンドの軸着部の回転力をギヤやベルト等を介して離れた位置にある保持レバーに作用させるようにしてもよい。
【００３５】
【発明の効果】
以上説明したように、本発明の画像入力装置は、アームスタンドに最も負荷の掛かる倒立支持位置に両方のアームスタンドがあるときにだけロックされるようにしたので、それ以外の位置ではロック操作やロック解除等の煩わしい操作を必要としない。また、ロックしたままのアームスタンドを回動させるという誤操作も減少する。更に倒立支持位置でのロックの掛け忘れもないので、倒立支持位置でアームスタンドが広がってしまうこともなく、ピント合わせも正確になる。
【００３６】
また、ロック機構としては、カムや一対の保持レバー、ロックプレートやバネ等で構成したので低コストであり、機構も簡単なので故障も少ない。更に、倒立支持位置以外の正立支持位置及び不使用位置では、アームスタンドをクリック止めするようにしたので、各位置での位置決めが簡便，確実となる。
【図面の簡単な説明】
【図１】本発明の画像入力装置のロック状態にあるロック機構を示す概略図である。
【図２】不使用状態にある画像入力装置の外観斜視図である。
【図３】正立支持位置にある画像入力装置の外観斜視図である。
【図４】倒立支持位置にある画像入力装置の外観斜視図である。
【図５】不使用位置のロック機構を示す概略図である。
【図６】正立支持位置のロック機構を示す概略図である。
【図７】一方のアームスタンドのみを倒立支持位置に回動させた状態のロック機構を示す概略図である。
【図８】一方のアームスタンドを倒立支持位置に回動させ他方のアームスタンドを正立支持位置に回動させた状態のロック機構を示す概略図である。
【図９】他方の軸着部にロック機構を設けた場合の概略図である。
【符号の説明】
２  画像入力装置
３  本体部
４，５  アームスタンド
４ａ，４ｂ，５ａ，５ｂ  軸着部
１０  ロック解除ボタン
２３，２４  カム
２６，２７  保持レバー
２８  圧縮バネ
３０  ロックプレート
３０ａ  ロック片
【図１】
0003562864.tif 000002
【図２】
0003562864.tif 000003
【図３】
0003562864.tif 000004
【図４】
0003562864.tif 000005
【図５】
0003562864.tif 000006
【図６】
0003562864.tif 000007
【図７】
0003562864.tif 000008
【図８】
0003562864.tif 000009
【図９】
0003562864.tif 000010